(57)【特許請求の範囲】
【請求項１】
第１の閲覧装置を、１つまたは複数の周期的なタイムスロットの第１のタイムスロットに割り当てること、
第２の閲覧装置を、１つまたは複数の周期的なタイムスロットの第２のタイムスロットに割り当てること、
提示装置に、前記１つまたは複数の周期的なタイムスロットの前記第１のタイムスロット中に、第１の画像に関連する光信号を放出させること、
前記提示装置に、前記１つまたは複数の周期的なタイムスロットの前記第２のタイムスロット中に、第２の画像に関連する光信号を放出させること
を行う制御装置であって、
前記第１の閲覧装置が、少なくとも１つの光学的要素を備え、かつ前記第１の閲覧装置の前記少なくとも１つの光学的要素を使用可能にして、前記１つまたは複数の周期的なタイムスロットの前記第２のタイムスロット中ではなく、前記１つまたは複数の周期的なタイムスロットの前記第１のタイムスロット中に、前記第１の画像に関連する前記光信号に、前記少なくとも１つの光学的要素を通過できるようにし、また
前記第２の閲覧装置が、少なくとも１つの光学的要素を備え、かつ前記第２の閲覧装置の前記少なくとも１つの光学的要素を使用可能にして、前記１つまたは複数の周期的なタイムスロットの前記第１のタイムスロットではなく、前記１つまたは複数の周期的なタイムスロットの前記第２のタイムスロット中に、前記第２の画像に関連する前記光信号に、前記少なくとも１つの光学的要素を通過できるようにし、さらに
前記第１の閲覧装置から照明情報を受け取ること、および
前記１つまたは複数の周期的なタイムスロットの前記第２のタイムスロット中に前記第２の閲覧装置に放出された前記光信号の第２の強度に影響を与えることなく、前記１つまたは複数の周期的なタイムスロットの前記第１のタイムスロット中に、前記第１の閲覧装置から受け取った前記照明情報に基づいて前記提示装置に、前記第１の閲覧装置に放出された前記光信号の第１の強度を調整させること
を行う制御装置を備えるメディア・プロセッサ。
【請求項２】
前記第１および第２の画像が、ビデオ・コンテンツまたは静止画像コンテンツを含み、また前記メディア・プロセッサが、セットトップボックス、コンピュータ、ゲーム機、および可搬型通信装置のうちの１つを含み、また前記ビデオ・コンテンツまたは前記静止画像コンテンツが、２次元画像コンテンツ、または３次元画像コンテンツを含む、請求項１に記載のメディア・プロセッサ。
【請求項３】
前記制御装置が、
前記１つまたは複数の周期的なタイムスロットの前記第１のタイムスロット中に前記提示装置により放出された前記光信号の前記第１の強度を、第３の強度へと増加させる必要性を前記照明情報から判定し、
未使用の周期的なタイムスロットを検出し、
前記未使用の周期的なタイムスロットの少なくとも一部を特定し、
前記第１の閲覧装置に、前記未使用の周期的なタイムスロットの前記特定された部分、および前記１つまたは複数の周期的なタイムスロットの前記第１のタイムスロット中に、閲覧することを可能にさせ、かつ
前記提示装置に、前記光信号の前記第３の強度の少なくとも一部を達成するように、前記未使用の周期的なタイムスロットの前記特定された部分、および前記１つまたは複数の周期的なタイムスロットの前記第１のタイムスロット中に、前記第１の画像に関連する光信号を放出させる
ように動作可能である、請求項１に記載のメディア・プロセッサ。
【請求項４】
前記制御装置が、
前記光信号の前記第３の強度を達成するには前記提示装置の照明要素により放出される前記光信号の強度が不足していることを検出し、かつ
前記提示装置に、前記１つまたは複数の周期的なタイムスロットの前記第１のタイムスロット、または未使用の周期的なタイムスロットの前記特定された部分の一方の少なくとも一部分中に、前記提示装置の照明要素により放出される前記光信号の前記強度を増加させる
ように動作可能である、請求項３に記載のメディア・プロセッサ。
【請求項５】
前記制御装置が、
前記１つまたは複数の周期的なタイムスロットの前記第１のタイムスロット中に前記提示装置により放出された前記光信号の前記第１の強度を、第３の強度へと減少させる必要性を前記照明情報から判定し、
前記第１の閲覧装置に、前記１つまたは複数の周期的なタイムスロットの前記第１のタイムスロットのサブセット中に閲覧することを可能にさせ、かつ
前記提示装置に、前記光信号の前記第３の強度の少なくとも一部を達成するように、前記１つまたは複数の周期的なタイムスロットの前記第１のタイムスロットの前記サブセット中に、前記第１の画像に関連する光信号を放出させる
ように動作可能である、請求項１に記載のメディア・プロセッサ。
【請求項６】
前記制御装置が、
前記光信号の前記第３の強度を達成するには前記提示装置の照明要素により放出される前記光信号の強度が不足していることを検出し、かつ
前記提示装置に、前記１つまたは複数の周期的なタイムスロットの前記第１のタイムスロットの前記サブセットの少なくとも一部分中に、前記提示装置の照明要素により放出される前記光信号の前記強度を減少させる
ように動作可能である、請求項５に記載のメディア・プロセッサ。
【請求項７】
前記制御装置が、
前記１つまたは複数の周期的なタイムスロットの前記第１のタイムスロット中に前記提示装置により放出された前記光信号の前記第１の強度を、第３の強度へと調整する必要性を前記照明情報から判定し、かつ
前記提示装置に、前記１つまたは複数の周期的なタイムスロットの前記第２のタイムスロット中に前記第２の閲覧装置に放出される前記光信号の前記第２の強度に影響を与えることなく、前記１つまたは複数の周期的なタイムスロットの前記第１のタイムスロットの少なくとも一部分中に、前記提示装置の照明要素により放出される前記光信号の強度を調整させる
ように動作可能である、請求項１に記載のメディア・プロセッサ。
【請求項８】
前記制御装置が、前記メディア・プロセッサによりアクセス可能なローカルな記憶装置、またはメディア・コンテンツ・プロバイダの一方から前記第１および第２の画像を受信するように動作可能であり、また前記メディア・コンテンツ・プロバイダが、前記第１および第２の画像を、ケーブル・ネットワーク、衛星ネットワーク、またはインターネット・プロトコル・ネットワークを介して前記メディア・プロセッサに送達する、請求項１に記載のメディア・プロセッサ。
【請求項９】
前記制御装置が、
前記第１の閲覧装置を、前記１つまたは複数の周期的なタイムスロットの前記第１のタイムスロットに同期させるために、第１の同期信号を前記第１の閲覧装置に送信し、かつ
前記第２の閲覧装置を、前記１つまたは複数の周期的なタイムスロットの前記第２のタイムスロットに同期させるために、第２の同期信号を前記第２の閲覧装置に送信する
ように動作可能である、請求項１に記載のメディア・プロセッサ。
【請求項１０】
前記制御装置が、前記光信号の前記調整された第１の強度に適合させるために、更新された同期信号を前記第１の閲覧装置に送るように動作可能である、請求項９に記載のメディア・プロセッサ。
【請求項１１】
前記制御装置が、前記第１の画像に関連するオーディオ・コンテンツを提示するための前記第１の閲覧装置への第１のオーディオ信号、および前記第２の画像に関連するオーディオ・コンテンツを提示するための前記第２の閲覧装置への第２のオーディオ信号の少なくとも一方を送信するように動作可能であり、また前記第１および第２のオーディオ信号が、有線の送信媒体、または無線の送信媒体により送信される、請求項１に記載のメディア・プロセッサ。
【請求項１２】
前記第１および第２の閲覧装置が、アクティブ・シャッタ閲覧装置に相当する、請求項１に記載のメディア・プロセッサ。
【請求項１３】
前記提示装置、および前記第１と第２の閲覧装置が、それぞれ、２次元または３次元提示、および画像閲覧用に偏光される、請求項１に記載のメディア・プロセッサ。
【請求項１４】
前記第１の閲覧装置が光センサを備え、前記照明情報が、前記光センサにより検出された情報を含み、また前記第１の閲覧装置が、前記光センサにより検出された前記情報を前記メディア・プロセッサに送信するように動作可能である、請求項１に記載のメディア・プロセッサ。
【請求項１５】
前記光センサが、周囲光、前記第１の閲覧装置の前記光学的要素を横断する光、または前記１つまたは複数の周期的なタイムスロットの前記第１のタイムスロット中に前記提示装置により放出される前記光信号のうちの少なくとも１つを検出し、また前記照明情報が、前記第１の閲覧装置のユーザインターフェースの可聴の、または触知できる操作から生成された要求を含む、請求項１４に記載のメディア・プロセッサ。
【請求項１６】
前記制御装置が、前記提示装置により提示された前記第１および第２の画像に対する調整を検出し、
前記制御装置が、前記検出された前記提示装置により提示された調整に応じて、前記光信号の前記第１の強度を調整するように動作可能である、請求項１に記載のメディア・プロセッサ。
【請求項１７】
前記提示装置により提示された調整が、（１）１つまたは複数の周期的なタイムスロットの第３のタイムスロット中に提示される第３の画像を追加すること、（２）前記第２の画像を終了させること、前記第２の閲覧装置を使用しないこと、または第３の画像を見るために、第３の閲覧装置を追加することのうちの一方又は両方に基づいて検出される、請求項１６に記載のメディア・プロセッサ。
【請求項１８】
前記制御装置が、ユーザ・プロファイルに従って、前記１つまたは複数の周期的なタイムスロットの前記第１のタイムスロット中に、前記第１の閲覧装置に放出される前記光信号の前記第１の強度を制御するように動作可能である、請求項１に記載のメディア・プロセッサ。
【請求項１９】
１つまたは複数の周期的なタイムスロット中に、前記１つまたは複数の周期的なタイムスロット中にだけ閲覧装置から見ることができる画像を提示すること、および
前記閲覧装置により供給された照明情報に応じて、前記１つまたは複数の周期的なタイムスロット中に前記閲覧装置に放出された光信号の強度を調整すること
を行う制御装置を備える提示装置。
【請求項２０】
前記閲覧装置が、前記照明情報を生成するための光センサと、第１の画像に関連するオーディオ信号を受信するためのオーディオ・システムとを備えるアクティブ・シャッタ・レンズを含む、請求項１９に記載の提示装置。
【請求項２１】
前記提示装置が、テレビジョン受信機、コンピュータ、可搬型通信装置、およびゲーム機のうちの１つを含む、請求項１９に記載の提示装置。
【請求項２２】
前記提示装置および前記閲覧装置が偏光される、請求項１９に記載の提示装置。
【請求項２３】
閲覧装置の１つまたは複数のアクティブ・シャッタ光学的要素の動作を、１つまたは複数の割り当てられた周期的なタイムスロットに同期させるための同期信号を受け取ること、
前記割り当てられた１つまたは複数の周期的なタイムスロット中に、メディア提示装置により提示された複数のメディア・プログラムのうちの選択されたプログラムの閲覧を可能にするために、前記同期信号に従って前記１つまたは複数のアクティブ・シャッタ光学的要素を使用可能にすること、
光強度の測定値を示す照明情報を生成すること、および
前記複数のメディア・プログラムのうちの前記選択されたプログラムの提示に関連する放出された光信号の強度を前記照明情報に基づいて調整するために、前記照明情報を前記メディア提示装置に送信すること
を行う制御装置を備える閲覧装置。
【請求項２４】
前記照明情報が、前記閲覧装置の光センサ、またはユーザインターフェースの少なくとも一方から生成され、また光強度の前記測定値が、前記光学的要素が受けた光強度の測定値、前記光学的要素により供給された光強度の測定値、またはそれらの組合せのうちの１つを表す、請求項２３に記載の閲覧装置。
【請求項２５】
前記複数のメディア・プログラムのうちの前記選択されたプログラムに関連する１つまたは複数のオーディオ信号を受信するように適合されたオーディオ・システムを備える、請求項２３に記載の閲覧装置。
【発明の詳細な説明】
【技術分野】
【０００１】
関連出願の相互参照
本出願は、２０１０年６月１６日に出願された米国特許出願第１２／８１６，５８５号の優先権を主張するものであり、その開示の全体を参照により本明細書に組み込む。
【０００２】
本開示は、一般に、メディア・コンテンツを提示するための技法に関し、より詳細には、メディア・コンテンツを提示するための方法および装置に関する。
【背景技術】
【０００３】
メディア消費は、急速に成長し続ける数十億ドルの産業になってきている。ＭＰＥＧ−３およびＭＰＥＧ−４フォーマットなどのコンパクトなオーディオおよびビデオ・フォーマットの出現で開始されたこれらの技術は、ユーザが音楽およびビデオを、非常に小さい形状因子の携帯電話、およびメディアプレーヤなどの可搬型装置へと移すことを容易にしてきた。これらのメディア・フォーマットにより作成されるファイルのサイズは小さいため、フラッシュ・メモリが、これらの可搬型装置でこれまで使用されていたコンパクトなハード・ドライブに大部分置き換わってきており、それにより、その耐久性および電池寿命が向上している。
【０００４】
高品位テレビジョン（すなわちＨＤＴＶ）および高解像度コンピュータ・モニタなどの高解像度ディスプレイは、現在、２次元（２Ｄ）の映画およびゲームを、いままでにない明瞭さで、３次元（３Ｄ）遠近法で示すことができる。その結果、高解像度映画を家庭で閲覧することは、非常に一般的になっている。さらに、高解像度ディスプレイは、１０代の若者や大人達の間でゲーム機の人気を高めるのに役立っている。高速のインターネットアクセスを用いて、ゲーム機製造者は、いまやビデオ解像度を犠牲にすることなく、ブロードバンド接続を介してマルチユーザ・ゲームをサポートすることができる。
【０００５】
映画制作者は、３Ｄ閲覧用眼鏡を必要とする３Ｄ映画の制作に力を入れ始めている。Ａｖａｔａｒ（商標）（アバター）などいくつかの大ヒットした３Ｄ映画は、製造者に、偏光眼鏡を用いる３Ｄ閲覧をサポートするテレビジョン受信機を作ることを動機付けてきた。
【発明の概要】
【発明が解決しようとする課題】
【０００６】
閲覧、オーディオ、および通信技術において進歩したことにより、集合的に、すべてのタイプのメディア・コンテンツを消費すること求める急速な要求が生じている。
【図面の簡単な説明】
【０００７】
【図１】メディア・サービスを提供する通信システムの例示的な実施形態を示す図である。
【図２】メディア・サービスを提供する通信システムの例示的な実施形態を示す図である。
【図３】図１〜２の通信システムと対話するポータルの例示的な実施形態を示す図である。
【図４】図１〜２の通信システムで使用される通信装置の例示的な実施形態を示す図である。
【図５】メディア・コンテンツを提示するための提示装置およびメディア・プロセッサの例示的な実施形態を示す図である。
【図６】閲覧装置の例示的な実施形態を示す図である。
【図７】偏光ディスプレイを備える提示装置の例示的な実施形態を示す図である。
【図８】図１〜７の装置およびシステムの部分で動作する方法の例示的な実施形態を示す図である。
【図９】図１〜７の装置およびシステムの部分で動作する方法の例示的な実施形態を示す図である。
【図１０】メディア・コンテンツを複数の閲覧者に示すための例示的なタイミング図である。
【図１１】メディア・コンテンツを複数の閲覧者に示すための例示的なタイミング図である。
【図１２】メディア・コンテンツを複数の閲覧者に示すための例示的なタイミング図である。
【図１３】メディア・コンテンツを複数の閲覧者に示すための例示的なタイミング図である。
【図１４】メディア・コンテンツを複数の閲覧者に示すための例示的なタイミング図である。
【図１５】偏光ディスプレイを備える提示装置の例示的な実施形態を示す図である。
【図１６】１組の命令が、実行されたとき、マシンに本明細書で論ずる方法のいずれか１つまたは複数のものを実施させるコンピュータ・システムの形で、マシンを図式的に表現した図である。
【発明を実施するための形態】
【０００８】
本開示の一実施形態は、第１の閲覧装置を１つまたは複数の周期的なタイムスロットの第１のタイムスロットに割り当てること、第２の閲覧装置を１つまたは複数の周期的なタイムスロットの第２のタイムスロットに割り当てること、提示装置に、１つまたは複数の周期的なタイムスロットの第１のタイムスロット中に、第１の画像に関連する光信号を放出させること、提示装置に、１つまたは複数の周期的なタイムスロットの第２のタイムスロット中に、第２の画像に関連する光信号を放出させることを行う制御装置であって、第１の閲覧装置が、少なくとも１つの光学的要素を備え、かつ第１の閲覧装置の少なくとも１つの光学的要素を使用可能にして、１つまたは複数の周期的なタイムスロットの第２のタイムスロット中ではなく、１つまたは複数の周期的なタイムスロットの第１のタイムスロット中に、第１の画像に関連する光信号に、少なくとも１つの光学的要素を貫通できるようにし、また第２の閲覧装置が少なくとも１つの光学的要素を備え、かつ第２の閲覧装置の少なくとも１つの光学的要素を使用可能にして、１つまたは複数の周期的なタイムスロットの第１のタイムスロット中ではなく、１つまたは複数の周期的なタイムスロットの第２のタイムスロット中に、第２の画像に関連する光信号に、少なくとも１つの光学的要素を貫通できるようにし、さらに、第１の閲覧装置から照明情報を受信すること、ならびに１つまたは複数の周期的なタイムスロットの第２のタイムスロット中に第２の閲覧装置に放出された光信号の第２の強度に影響を与えることなく、１つまたは複数の周期的なタイムスロットの第１のタイムスロット中に、提示装置に、第１の閲覧装置に放出された光信号の第１の強度を調整させることを行う制御装置を有するメディア・プロセッサを含むことができる。
【０００９】
本開示の一実施形態は、第１の閲覧装置を１つまたは複数の周期的なタイムスロットの第１のタイムスロットに割り当てること、第２の閲覧装置を１つまたは複数の周期的なタイムスロットの第２のタイムスロットに割り当てること、提示装置により、１つまたは複数の周期的なタイムスロットの第１のタイムスロット中に第１の画像を提示すること、提示装置により、１つまたは複数の周期的なタイムスロットの第２のタイムスロット中に第２の画像を提示すること、第１の閲覧装置から照明情報を受信すること、および提示装置に、１つまたは複数の周期的なタイムスロットの第２のタイムスロット中に、第２の閲覧装置に放出された光信号の第２の強度に影響を与えることなく、１つまたは複数の周期的なタイムスロットの第１のタイムスロット中に、第１の閲覧装置に放出された光信号の第１の強度を調整させることを行わせるコンピュータ命令を有するコンピュータ可読記憶媒体を含むことができる。記憶媒体はまた、第１の画像に関連する第１のオーディオ信号を第１の閲覧装置に送信すること、および第２の画像に関連する第２のオーディオ信号を第２の閲覧装置に送信することを行わせるコンピュータ命令を含むことができる。
【００１０】
本開示の一実施形態は、閲覧装置の１つまたは複数のアクティブ・シャッタ光学的要素の動作を、１つまたは複数の割り当てられた周期的なタイムスロットと同期させるための同期信号を受け取ること、割り当てられた１つまたは複数の周期的なタイムスロット中に、メディア提示装置により提示された複数のメディア・プログラムのうちの選択されたプログラムの閲覧を可能にするために、同期信号に従って１つまたは複数のアクティブ・シャッタ光学的要素を使用可能にすること、光強度の測定値を示す照明情報を生成すること、および複数のビデオ・プログラムのうちの選択されたプログラムの提示に関連する放出された光信号の強度を調整するために、照明情報をメディア提示装置に送信することを行う制御装置を有する閲覧装置を含むことができる。
【００１１】
本開示の一実施形態は、重複する提示期間を有する単一の提示装置から、複数の無関係なメディア・プログラムを提示するための方法を含むことができるが、その場合、複数の無関係なメディア・プログラムのそれぞれは、１つの閲覧装置でのみで閲覧することが可能であり、さらに閲覧装置は、一度に無関係なメディア・プログラムの１つを閲覧し、無関係なメディア・プログラムの１つに関連する放出された光の強度を調整するための情報を閲覧装置から受け取り、かつ情報を供給する閲覧装置により検出可能な方法で、放出された光の強度を調整するように構成される。
【００１２】
本方法は、調節（ｍｏｄｕｌａｔｉｏｎ）方式に従って、複数の無関係なメディア・プログラムを提示するステップ、または時間分割方式、または空間分割方式の１つに従って、複数の無関係なメディア・プログラムのそれぞれを提示するステップをさらに含むことができる。複数の無関係なメディア・プログラムのそれぞれは、静止画像、動画像、２次元画像、または３次元画像のうちの１つを表すことができる。方法の少なくとも一部は、メディア通信システムのネットワーク要素で動作することができる。
【００１３】
本開示の一実施形態は、自動立体視ディスプレイと、重複する提示期間に、見やすさが位置に依存する複数の無関係なメディア・プログラムを、自動立体視ディスプレイに提示させ、かつ１つまたは複数の影響されないメディア・プログラムにより放出された光の強度に実質的に影響を与えることなく、複数の無関係なメディア・プログラムの少なくとも１つの光の強度を調整するように動作可能な制御装置とを有する提示装置を含むことができる。複数の無関係なメディア・プログラムは、静止画像、動画像、２次元画像、または３次元画像の１つを表すことができる。制御装置は、少なくとも１つの遠隔の制御装置から少なくとも１つの要求を受信したことに応じて、複数の無関係なメディア・プログラムのうちの少なくとも１つの光の強度を調整するようにさらに動作可能にすることができる。
【００１４】
図１は、メディア・コンテンツを配信するための第１の通信システム１００の例示的な実施形態を示す。通信システム１００は、ＩＰＴＶ（ＩＰテレビ）同報通信メディア・システムを表すことができるが、他のメディア同報通信システムも、本開示により企図される。ＩＰＴＶメディア・システムは、衛星および／または地上通信システムからメディア・コンテンツを受信する少なくとも１つのＳＨＳ（ｓｕｐｅｒ  ｈｅａｄｅｎｄ  ｏｆｆｉｃｅ  ｓｅｒｖｅｒ）１１１を備えるＳＨＯ（ｓｕｐｅｒ  ｈｅａｄ−ｅｎｄ  ｏｆｆｉｃｅ）１１０を含むことができる。本文脈では、メディア・コンテンツは、オーディオ・コンテンツ、ビデオなどの動画像コンテンツ、静止画像コンテンツ、またはそれらの組合せを表すことができる。ＳＨＳサーバ１１１は、一般のマルチキャスト通信プロトコルに従って、ＶＨＯ（ｖｉｄｅｏ  ｈｅａｄ−ｅｎｄ  ｏｆｆｉｃｅｓ：ビデオヘッドエンドオフィス）１１２のネットワークを介して、ＶＨＳ（ｖｉｄｅｏ  ｈｅａｄ−ｅｎｄ  ｓｅｒｖｅｒｓ：ビデオヘッドエンドサーバ）１１４に、メディア・コンテンツに関連したパケットを送ることができる。
【００１５】
ＶＨＳ１１４は、アクセス・ネットワーク１１８を介して、マルチメディア同報通信プログラムを、ゲートウェイ１０４（住宅用または商用ゲートウェイなど）を収容する商用および／または住宅用の建物１０２に配信することができる。アクセス・ネットワーク１１８は、光リンク、または銅のツイストペア１１９を介して、ブロードバンド・サービスを建物１０２に提供する中心オフィスまたはサービスエリア・インターフェースに位置する１群のＤＳＬＡＭ（デジタル加入者線アクセス多重装置）を表すことができる。ゲートウェイ１０４は、一般の通信技術を使用して、同報通信信号をＳＴＢ（セットトップボックス）などのメディア・プロセッサ１０６に配信することができ、それは、次いで、いくつかの例では、（赤外線またはＲＦ遠隔制御、ゲーム制御装置など）メディア制御装置１０７により管理されるコンピュータ、テレビジョン受信機、ゲーム機（例えば、ＰＳ３、Ｘｂｏｘ、Ｗｉｉ）などのメディア装置１０８に同報通信チャネルを提示する。
【００１６】
ゲートウェイ１０４、メディア・プロセッサ１０６、およびメディア装置１０８は、有線式のインターフェース技術（同軸、電話回線、または電力線配線など）を利用することができるが、あるいはＷｉＦｉ（Ｗｉｒｅｌｅｓｓ  Ｆｉｄｅｌｉｔｙ）などの一般の無線アクセス・プロトコルを介して動作することができる。これらのインターフェースを用いると、ＶｏＤ（ビデオ・オン・デマンド）などのサービス、ＥＰＧ（電子番組ガイド）の閲覧、または他のインフラストラクチャ・サービスのために、メディア・プロセッサ１０６とＩＰＴＶメディア・システムのサブシステムとの間で、ユニキャスト通信を起動することができる。
【００１７】
ＩＰＴＶメディア・システムのネットワーク要素のいくつかは、１つまたは複数のコンピューティング装置１３０に結合することができ、その一部は、ＩＳＰ（インターネット・サービス・プロバイダ）ネットワーク１３２を介してポータル・サービスを、有線メディア装置１０８に、あるいはＷｉＦｉ、またはセルラ式通信技術（ＧＳＭ、ＣＤＭＡ、ＵＭＴＳ、ＷｉＭＡＸ、ソフトウェア定義無線すなわちＳＤＲ、ＬＴＥなど）などの一般の無線アクセス・プロトコルに従って動作する無線アクセス基地局１１７により無線通信装置１１６（例えば、携帯電話、ラップトップ・コンピュータなど）に提供するためのウェブ・サーバとして動作することができる。
【００１８】
衛星放送テレビジョン・システムを、ＩＰＴＶメディア・システムの代わりに使用することができる。この実施形態では、メディア・コンテンツを搬送する衛星１１５により送信される信号は、建物１０２に結合された一般のサテライト・ディッシュ受信装置１３１により傍受することができる。サテライト・ディッシュ受信装置１３１により傍受された変調信号は、メディア・プロセッサ１０６に転送されて復号され、放送チャネルをメディア装置１０８に配信することができる。メディア・プロセッサ１０６は、上記で述べたＶｏＤおよびＥＰＧなどのサービスを可能にするために、ＩＰネットワーク１３２に対するブロードバンド・ポートを備えることができる。
【００１９】
さらに他の実施形態では、ケーブルＴＶシステム１３３などのアナログまたはデジタル放送配信システムを、上記で述べたＩＰＴＶメディア・システムの代わりに使用することができる。この実施形態では、ケーブルＴＶシステム１３３は、インターネット、電話通信、および対話式メディア・サービスを提供することができる。
【００２０】
本開示は、任意の現在または次世代の無線および／または陸線メディア・コンテンツ・サービス・システムに適用できることが企図されている。
【００２１】
図２は、回線交換システムとパケット交換システムの組み合わせたサービスを容易にするために、ＩＭＳ（ＩＰマルチメディア・サブシステム）ネットワーク・アーキテクチャを使用する通信システム２００の例示的な実施形態を示している。通信システム２００は、通信システム１００の他の代表的な実施形態として、通信システム１００に重畳する、または動作可能に結合することができる。
【００２２】
通信システム２００は、ＨＳＳ（ホーム加入者サーバ）２４０、ＥＮＵＭ（電話番号マッピング）サーバ２３０、およびＩＭＳネットワーク２５０の他の一般のネットワーク要素を備えることができる。ＩＭＳネットワーク２５０は、ＩＭＳ準拠の通信装置（ＣＤ）２０１、２０２、ＰＳＴＮ（公衆交換電話網）ＣＤ２０３、２０５、およびそれらの組合せの間で、ＰＳＴＮネットワーク２６０に結合されたＭＧＣＦ（メディア・ゲートウェイ制御機能）２２０により、通信を確立することができる。ＭＧＣＦ２２０は、一般に、通信セッションが、ＩＭＳ  ＣＤからＩＭＳ  ＣＤへの通信を含む場合には使用されない。少なくとも１つのＰＳＴＮ  ＣＤを含むいずれの通信セッションも、ＭＧＣＦ２２０を使用することが必要になりうる。
【００２３】
ＩＭＳ  ＣＤ２０１、２０２は、ＨＳＳ２４０にＣＤを登録するために、対応するＳ−ＣＳＣＦ（サービングＣＳＣＦ）と通信するＰ−ＣＳＣＦ（プロキシ呼セッション制御機能）と交信することにより、ＩＭＳネットワーク２５０に登録することができる。ＣＤ間で通信セッションを開始するために、発信側ＩＭＳ  ＣＤ２０１は、対応する発信側Ｓ−ＣＳＣＦ２０６と通信する発信側Ｐ−ＣＳＣＦ２０４にＳＩＰ（セッション開始プロトコル）ＩＮＶＩＴＥメッセージをサブミットすることができる。発信側Ｓ−ＣＳＣＦ２０６は、着信側通信装置がＩＭＳに準拠している場合、ＥＮＵＭシステム２３０に、ＳＩＰ  ＩＮＶＩＴＥ中のＥ．１６４電話番号をＳＩＰ  ＵＲＩ（Ｕｎｉｆｏｒｍ  Ｒｅｓｏｕｒｃｅ  Ｉｄｅｎｔｉｆｉｅｒ）へと翻訳する照会をサブミットすることができる。
【００２４】
ＳＩＰ  ＵＲＩは、参照２０２など着信側ＩＭＳ  ＣＤに関連する着信側Ｓ−ＣＳＣＦ２１４を特定することを目的として照会をＨＳＳ２４０にサブミットするために、Ｉ−ＣＳＣＦ（Ｉｎｔｅｒｒｏｇａｔｉｎｇ  ＣＳＣＦ）２０７により使用することができる。特定された後、Ｉ−ＣＳＣＦ２０７は、着信側Ｓ−ＣＳＣＦ２１４にＳＩＰ  ＩＮＶＩＴＥを送ることができる。着信側Ｓ−ＣＳＣＦ２１４は、次いで、着信側ＣＤ２０２に関連する着信側Ｐ−ＣＳＣＦ２１６を特定することができる。Ｐ−ＣＳＣＦ２１６は、次いで、通信を確立するために信号をＣＤ２０２に送る。
【００２５】
そうではなくて、着信側通信装置が、参照２０３または２０５などのＰＳＴＮ  ＣＤである場合、ＥＮＵＭシステム２３０は、不成功なアドレス解決で応ずることができ、それにより、発信側Ｓ−ＣＳＣＦ２０６に、コールを、ＢＧＣＦ（ブレークアウトゲートウェイ制御機能）２１９を介してＭＧＣＦ２２０に転送させることができる。ＭＧＣＦ２２０は、次いで、ＰＳＴＮネットワーク２６０を介して通常の手段により、着信側ＰＳＴＮ  ＣＤへのコールを開始することができる。
【００２６】
前述の通信プロセスは対称的なものである。したがって、図２における「発信側（ｏｒｉｇｉｎａｔｉｎｇ）」、および「着信側（ｔｅｒｍｉｎａｔｉｎｇ）」という用語は、相互に交換可能である。通信システム２００は、ビデオ会議をサポートするように適合できることにさらに留意されたい。さらに、通信システム２００は、ＩＭＳ  ＣＤ２０１、２０３に、通信システム１００のマルチメディアおよびインターネット・サービスを提供するように適合させることができる。
【００２７】
第１の通信システム１００は、コンピューティング・システム１３０（または他の一般の通信手段）により、第２の通信システム２００に動作可能に結合されて、前記システム間でサービスを相互で交換可能に共用することができる。
【００２８】
図３は、図１で示した通信システム１００の前述のコンピューティング装置１３０から動作することのできるポータル３０２の例示的な実施形態を示している。ポータル３０２は、通信システム１００〜２００のサービスを管理するために使用することができる。ポータル３０２は、図１〜２で示したものなど、インターネットが可能な通信装置を用いて、一般のインターネット・ブラウザで、ＵＲＬ（Ｕｎｉｆｏｒｍ  Ｒｅｓｏｕｒｃｅ  Ｌｏｃａｔｏｒ）によりアクセスすることができる。ポータル３０２は、例えば、メディア・プロセッサ１０６にアクセスするように、かつそれにより管理されるサービス、例えば、ＤＶＲ（デジタル・ビデオ記録装置）、ＶｏＤカタログ、ＥＰＧ、ビデオゲーム・プロファイル、メディア・プロセッサに記憶された個人的なカタログ（個人的なビデオ、ピクチャ、オーディオ記録など）、前に述べたＩＭＳサービスの提供、インターネット・サービスの提供、携帯電話サービスの提供、以下同様のものなどのサービスにアクセスするように構成することができる。
【００２９】
図４は、通信装置４００の例示的な実施形態を示している。通信装置４００は、図１〜２の通信装置、および本明細書で述べる他の通信の例示的な実施形態として、全体的に、または部分的に働くことができる。通信装置４００は、有線および／または無線送受信装置４０２（ここでは、送受信装置４０２）、ＵＩ（ユーザインターフェース）４０４、電源４１４、位置検出器４１６，およびそれらの動作を管理するための制御装置４０６を備えることができる。送受信装置４０２は、数例を挙げると、赤外線、ブルートゥース、ＷｉＦｉ、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、またはセルラ式通信技術など、近距離または遠距離の無線アクセス技術をサポートすることができる。セルラ技術は、例えば、ＣＤＭＡ−ｌＸ、ＵＭＴＳ／ＨＳＤＰＡ、ＧＳＭ／ＧＰＲＳ、ＴＤＭＡ／ＥＤＧＥ、ＥＶ／ＤＯ、ＷｉＭＡＸ、ＳＤＲ、および今後生ずる次世代のセルラ式無線通信技術を含むことができる。送受信装置４０２はまた、回線交換有線アクセス技術（ＰＳＴＮなど）、パケット交換有線アクセス技術（ＴＣＰ／ＩＰ、ＶｏＩＰなど）、およびそれらの組合せをサポートするように適合させることができる。
【００３０】
ＵＩ４０４は、通信装置４００の動作を操作するためのローラボール、ジョイスティック、マウス、またはナビゲーション・ディスクなどのナビゲーション機構を備えた押下可能な、またはタッチセンサ式のキーパッド４０８を含むことができる。キーパッド４０８は、通信装置４００のハウジング組立体の一体化部分とすることができるが、あるいは接続された有線インターフェース（ＵＳＢケーブルなど）、または例えば、ブルートゥースをサポートする無線インターフェースにより動作可能に結合された独立した装置とすることもできる。キーパッド４０８は、電話で一般に使用される数字でダイアルするキーパッド、および／または英数字キーを備えるＱＷＥＲＴＹキーパッドを表すことができる。ＵＩ４０４は、単色またはカラーのＬＣＤ（液晶表示ディスプレイ）、ＯＬＥＤ（有機発光ダイオード）、または画像を、通信装置４００のエンドユーザに伝えるための他の適切な表示技術など、ディスプレイ４１０をさらに含むことができる。ディスプレイ４１０がタッチセンサ式である実施形態では、キーパッド４０８の一部またはすべては、ディスプレイで提示することができる。
【００３１】
ＵＩ４０４はまた、低音量のオーディオ（人間の耳の近くでのみ聞こえる音など）、および手を使用しない操作のための高音量のオーディオを伝える一般のオーディオ技術を使用するオーディオ・システム４１２を含むことができる。オーディオ・システム４１２は、エンドユーザの可聴信号を受信するためのマイクロフォンをさらに含むことができる。オーディオ・システム４１２はまた、音声認識用途で使用することもできる。ＵＩ４０４は、静止画像、または動画像を取り込むために、ＣＣＤ（固体撮像素子）カメラなど、画像センサ４１３をさらに含むことができる。
【００３２】
電源４１４は、遠距離または近距離の可搬用途を容易にするように通信装置４００の構成要素にエネルギーを供給するための、置換え可能な、また再充電可能な電池などの一般の電力管理技術、供給調整技術、および充電システム技術を利用することができる。位置検出器４１６は、ＧＰＳ衛星の衛星群により生成された信号に基づいて、通信装置４００の位置を特定し、それにより、ナビゲーションなどの一般の位置サービスを容易にするためのＧＰＳ（全地球測位システム）受信装置など、一般的な位置技術を使用することができる。
【００３３】
通信装置４００は、送受信装置４０２を用いて、ＲＳＳＩ（ｒｅｃｅｉｖｅｄ  ｓｉｇｎａｌ  ｓｔｒｅｎｇｔｈ  ｉｎｄｉｃａｔｏｒ：受信信号強度）、および／またはＴＯＡ（信号到達時間）もしくはＴＯＦ（ｔｉｍｅ  ｏｆ  ｆｌｉｇｈｔ：飛行時間）を利用するなど、一般の電力感知技法により、セルラ、ＷｉＦｉ、またはブルートゥースのアクセス・ポイントの近接性を判定することもできる。制御装置４０６は、フラッシュ、ＲＯＭ、ＲＡＭ、ＳＲＡＭ、ＤＲＡＭ、または他の記憶技術などの関連する記憶メモリと共に、マイクロプロセッサ、ＤＳＰ（デジタル信号プロセッサ）、および／またはビデオ・プロセッサなどのコンピューティング技術を使用することができる。
【００３４】
通信装置４００は、図１のメディア・プロセッサ１０６、メディア装置１０８、または可搬型の通信装置１１６、ならびに図２のＩＭＳ  ＣＤ２０１〜２０２、およびＰＳＴＮ  ＣＤ２０３〜２０５の機能を実施するように適合させることができる。通信装置４００はまた、ゲーム機およびメディアプレーヤなど、図１〜２の通信システム１００〜２００で動作できる他の一般の装置を表すこともできることが理解されよう。
【００３５】
図５は、メディア・コンテンツを提示するための提示装置５０２、およびメディア・プロセッサ１０６の例示的な実施形態を示す。本図では、提示装置５０２は、テレビジョン受信機として示されている。提示装置５０２は、代替的に、メディア・コンテンツを表示する能力を有する携帯電話、ＰＤＡ、コンピュータ、または他のコンピューティング装置などの可搬型の通信装置を表すことができることが理解されよう。メディア・プロセッサ１０６は、図１で示されたものなどのＳＴＢとすることができるが、あるいは携帯電話、コンピュータ、ゲーム機、またはメディア・コンテンツと関連する画像を処理し、かつ提示装置５０２に、画像を生成させることが可能な他の装置など、何らかの他のコンピューティング装置とすることができる。メディア・プロセッサ１０６および提示装置５０２は、一体化したユニットにできることにさらに留意されたい。例えば、計算および表示資源を有するコンピュータまたは携帯電話は、集合的に、提示装置５０２とメディア・プロセッサ１０６の組合せを表すことができる。
【００３６】
メディア・プロセッサ１０６は、無線または有線インターフェースにより、図６の閲覧装置６０２などのアクセサリと通信するように適合させることができる。有線インターフェースは、閲覧装置からメディア・プロセッサの電子−機械的ポート（例えば、ＵＳＢまたは所有権のあるインターフェース）への有線接続を表すことができる。無線インターフェースは、ブルートゥース、ＷｉＦｉ、Ｚｉｇｂｅｅ、または他の無線規格などのＲＦ（高周波）インターフェースを表すことができる。無線インターフェースはまた、赤外線通信インターフェースを表すこともできる。メディア・プロセッサ１０６と閲覧装置６０２の間の任意の規格または所有権のある無線インターフェースが、本開示により企図されている。
【００３７】
閲覧装置６０２は、静止画像、または動画像とすることのできる２次元（２Ｄ）、または３次元（３Ｄ）の立体視画像を閲覧するための装置を表すことができる。閲覧装置６０２は、アクティブ・シャッタ閲覧装置とすることができる。この実施形態では、各レンズは、１つまたは複数のバイアス電圧を印加することにより、暗くする、または透明にすることのできる液晶層を有する。各レンズ６０４、６０６は、独立して制御することができる。したがって、レンズを暗くすることは、交互に行うことができるが、あるいは同時に動作するように制御することができる。
【００３８】
各閲覧装置６０２は、図４で示した通信装置４００の構成要素のすべて、または一部を含むことができる。例えば、閲覧装置６０２は、ウィンドウ６０８で示された赤外線受信装置の形で、送受信装置４０２の受信器部分を使用することができる。代替的には、閲覧装置６０２は、２方向の通信装置として機能することができ、その場合、完全な赤外線送受信装置を使用して、メディア・プロセッサ１０６と閲覧装置６０２の間で信号を交換することもできる。送受信装置４０２は、一方向のＲＦ受信装置、または双方向のＲＦ送受信装置と置換え可能であることも企図される。
【００３９】
ウィンドウ６０８はまた、周囲光を測定する、かつ／または提示装置５０２から供給される光信号を測定する１つまたは複数の一般の光センサを含むことができる。代替的には、または組み合わせて、１つまたは複数の光センサはまた、光学的要素６０４、６０６により供給される光を測定するために、またはユーザの眼（例えば、強膜またはまぶたの肉など）からの光の反射を測定するために、閲覧装置６０２の内側部分６０９上に配置することができる。光を測定することにより、メディア・プロセッサ１０６に送ることのできる照明情報が生成される。
【００４０】
閲覧装置６０２は、その動作を制御するための制御装置４０６と、可搬型の電源（図示せず）とを使用することができる。閲覧装置６０２は、図４のＵＩ４０４の部分を有することができる。例えば、閲覧装置６０２は、電源オン／オフ・ボタンとして、またチャネル選択ボタンとして機能できる多目的ボタン６１２を有することができる。電源のオン／オフ機構は、逆も同様であるが、オン状態からオフ状態に切り替えることのできるボタン６１２の長押しにより実施することができる。ボタン６１２の迅速な押下は、チャネル・ナビゲーションに使用することができる。代替的には、２つのボタンを、アップ／ダウンのチャネル選択のために閲覧装置６０２に追加することもでき、それは、オン／オフ電源ボタン６１２とは独立して動作する。他の実施形態では、チャネル間でスクロールさせるために、サムホイールを使用することができる。さらなるボタン、スクロール・ホイール、または他の通常の操作装置（図示せず）を閲覧装置６０２に追加して、提示装置５０２により生成される光強度を制御することもできる。例えば、増加および減少ボタンを使用して、前に述べた無線または有線媒体を介してメディア・プロセッサ１０６に照明要求を送ることができる。代替的には、または組み合わせて、閲覧装置のＵＩ４０４の前述の機能のいずれも、音声検出により制御することができる。
【００４１】
光センサ（複数可）により生成された照明情報、および光強度の変更を求める要求は共に、メディア・プロセッサ１０６、提示装置５０２、またはそれらの組合せに送ることができることにさらに留意されたい。
【００４２】
閲覧装置６０２はまた、ユーザの耳の近傍で局所化されたオーディオ６１８、６２０を生成するために、参照６１６、６１４などで示された、ハウジング組立体の延長線に、１つまたは複数のスピーカを備えるオーディオ・システム４１２を含むことができる。ハウジング組立体の異なる部分を使用して、モノラル、ステレオ、またはサラウンド・サウンド効果を生成することができる。ヘッドホンで使用されるものなどのイヤーカップ（図示せず）は、より直接的な、低雑音のオーディオ提示技法のために、（アクセサリ、または一体の構成要素として）閲覧装置６０２により使用することができる。スピーカ６１４、６１６により提示されるサウンドの音量は、サムホイール６１０（またはアップ／ダウンボタン、図示せず）により制御することができる。
【００４３】
上記の記述から、閲覧装置６０２の多くの実施形態が可能であることが明らかであり、そのすべてが、本開示により企図される。
【００４４】
図７は、偏光ディスプレイを備える、図５の提示装置５０２の例示的な実施形態を示す。ディスプレイは、画素の交互の行が、異なる偏光を有することができるように、偏光フィルタ技術を用いて偏光させることができる。例えば、画素の奇数行は、１つの偏光フィルタを用いて見るために偏光させ、画素の偶数行は、他の偏光フィルタを用いて見るように偏光させることができる。前に述べた閲覧装置６０２は、画素の奇数行に対して偏光させた一方のレンズを有するように適合させることができ、他方のレンズは、画素の偶数行を見るように偏光される。偏光レンズを用いて、閲覧装置６０２は、ユーザに３Ｄ立体視画像を示すことができる。
【００４５】
図８は、本明細書で述べられ、かつ／または図１〜７で示された装置およびシステムの部分において動作する方法８００の例示的な実施形態を示している。方法８００は、ステップ８０２で開始することができ、メディア・プロセッサ１０６（ＳＴＢ１０６など）は、図６の閲覧装置６０２などの複数の閲覧装置を検出する。例示のためだけであるが、メディア・プロセッサ１０６および閲覧装置６０２は、以降で、それぞれ、ＳＴＢ１０６およびシャッタ眼鏡６０２と呼ばれることになるが、これらの用語は、より広い意味を有することが十分理解される。
【００４６】
ステップ８０２におけるシャッタ眼鏡６０２の検出は、シャッタ眼鏡６０２の各組のユーザが、このような装置の存在をＳＴＢ１０６に通知することにより行うことができる。通知プロセスは、ＴＶ受信機などの提示装置５０２（例示のためだけに、以降では、ＴＶ受信機５０２と呼ぶ）により、ＳＴＢ１０６で提示されたユーザインターフェースを介してナビゲートする遠隔制御装置１０７を用いて行うことができる。代替的には、シャッタ眼鏡６０２は、シャッタ眼鏡６０２によりＳＴＢ１０６に送信されたＲＦまたはＩＲ（赤外線）信号により検出することができる。
【００４７】
例示のためであるが、２つのシャッタ眼鏡だけが検出されたと仮定する。ステップ８０４から８０８では、ＳＴＢ１０６は、各シャッタ眼鏡６０２を選択し、かつ１つまたは複数のタイムスロットに割り当てることができる。ステップ８１０で、ＳＴＢ１０６は、各シャッタ眼鏡に、ＲＦまたはＩＲインターフェースを介して同期信号を送信することができる。同期信号は、各シャッタ眼鏡６０２に対する識別子（例えば、シャッタ眼鏡ＩＤ１およびシャッタ眼鏡ＩＤ２）、各シャッタ眼鏡に割り当てられた１つまたは複数の周期的なタイムスロットの指定、およびこれらのタイムスロットの周波数（例えば、毎秒３２フレームなど）を含むことができる。
【００４８】
ステップ８１２、８１４で、ＳＴＢ１０６は、各ユーザによるプログラム選択をさらに検出することができる。その選択は、各ユーザが使用する遠隔制御装置１０７により送信されるＲＦまたはＩＲ信号から検出することができる。各遠隔制御装置１０７は、一意の識別子により識別することができる。代替的には、または組み合わせて、各シャッタ眼鏡６０２は、ＳＴＢ１０６により、ＴＶ受信機５０２に提示されるチャネルをスクロールするための１つまたは複数のチャネル選択ボタンを有することができる。本文脈におけるプログラム選択は、図１〜３で参照されたメディア通信システムの１つにより、ＳＴＢ１０６に供給された多くの選択可能なメディア・プログラム、またはＳＴＢのローカル・メモリに記憶されたメディア・プログラムのうちの１つを表すことができる。メディア・プログラムは、ライブのＴＶチャネル（例えば、ＥＳＰＮなど）、ＳＴＢ１０６のＤＶＲに記憶された事前に記録されたプログラム、ＳＴＢに記憶されたピクチャまたはビデオなどの個人的なメディア・コンテンツ、またはＴＶ受信機５０２で提示できる任意の他のソースのメディア・コンテンツを表すことができる。一般的に言って、メディア・プログラムは、静止画像または動画像を有することのできる任意の形の閲覧可能なメディア・コンテンツを表すことができる。
【００４９】
メディア・プログラム選択が、各シャッタ眼鏡６０２に対して検出された後、ＳＴＢ１０６は、ステップ８１６で、ＴＶ受信機５０２に、シャッタ眼鏡６０２の各組に割り当てられたタイムスロットに従って、各プログラムの画像を放出させることができる。ステップ８１８、８２０で、時間で同期したオーディオ信号を、ＲＦまたはＩＲ信号により、ユーザ１および２のシャッタ眼鏡６０２に送信することができる。シャッタ眼鏡６０２はそれぞれ、シャッタ眼鏡６０２の延長線６１６、６１４上に位置するオーディオ・スピーカにより、選択されたプログラムに関連する低音量のオーディオを提示するために、図４の参照４１２で述べたものなど、組み込まれたオーディオ・システムを用いてオーディオ信号を処理することができる。音量は、音量コントロール６１０により、シャッタ眼鏡６０２のそれぞれで制御することができる。低音量オーディオを使用することにより、各ユーザは、プログラムの私的なオーディオ提示を受けることができ、それにより、他のユーザが別のプログラムを閲覧することを妨げることがなくなる。
【００５０】
例示のために、各ユーザにより選択されたメディア・プログラムは、右および左の画像が、立体視のために異なる遠近法を有する３Ｄビデオ・プログラムであると仮定する。ＳＴＢ１０６は、ユーザ１に対して、左のビデオ画像を見るためにタイムスロット１を、また右のビデオ画像を見るためにタイムスロット２を選択することができ、各タイムスロットは、毎秒３２フレームのフレームレートを有する。同様に、ＳＴＢ１０６は、ユーザ２に対して、左のビデオ画像を見るためにタイムスロット３を、また右のビデオ画像を見るためにタイムスロット４を選択することができ、各タイムスロットはまた、毎秒３２フレームのフレームレートを有する。ＴＶ受信機５０２は、毎秒２５６フレームのフレームレートを有するものとする。このレートで、ＴＶ受信機５０２は、それぞれが毎秒３２フレームで動作する８個のタイムスロットをサポートするように適合することができる。この構成では、各タイムスロットは、約４８８マイクロ秒（μｓ）の持続期間を有することになる。
【００５１】
上記の構成は、各プログラムに関連付けられたタイムスロットの対に同期したアクティブ・シャッタ眼鏡６０２を用いて同時に閲覧できる最高で４つの３Ｄプログラムをサポートすることができる。図１の例では、二人のユーザが、４つのタイムスロット、すなわち、ユーザ１に対してタイムスロット１および２を、またユーザ２に対してタイムスロット３および４を使用する。タイムスロット５から８は、他のユーザが利用可能である。ユーザ１が、ライブの３Ｄビデオ・プログラムをサポートするＳＴＢ１０６のチャネル８を選択するものとし、ユーザ２が、さらにライブの３Ｄビデオ・プログラムを見るためにチャネル６を選択するものとする。タイムスロット１の間、ユーザ１のシャッタ眼鏡６０２は、左のレンズ６０６でＴＶ受信機５０２により提示される画像を閲覧できるが、右のレンズ６０４は暗い状態（使用不可）を維持しているはずである。タイムスロット１の間は、他の画像は何もＴＶ受信機５０２で提示されないことに留意されたい。言い換えると、タイムスロット１の間、ＳＴＢ１０６は、ＴＶ受信機５０２に、ユーザ２により選択されたプログラムからの画像をチャネル６で、または右目に関連する画像をチャネル８で提示させることはない。ユーザ２のシャッタ眼鏡は、タイムスロット１の間、レンズ６０４と６０６は共に暗い状態（使用不可）を維持する。したがって、ユーザ２は、タイムスロット１の左目の画像を見ることはできないはずである。
【００５２】
タイムスロット２に入ると、ＳＴＢ１０６は、ＴＶ受信機５０２に、チャネル８の右目フレームだけを提示させることができる。ステップ８１０で、ＴＶ５０２のフレームレートに同期しており、かつその割り振られたタイムスロット（１および２）、およびその各レートを知っているユーザ１のシャッタ眼鏡６０２は、タイムスロット２の間では、右の閲覧レンズ６０４を使用可能にし、閲覧用の左目レンズ６０６を暗く（または使用不可に）することになる。したがって、ユーザ１は、右のレンズ６０４により、ＴＶ５０２に提示された画像を見ることができるだけになる。再度、ユーザ２のシャッタ眼鏡は、タイムスロット２の間、レンズ６０４と６０６は共に暗い（使用不可）状態を維持することになる。したがって、ユーザ２は、タイムスロット２の間、チャネル８の右目画像を見ることはできないはずである。
【００５３】
タイムスロット３に入ると、ＳＴＢ１０６は、ＴＶ受信機５０２に、チャネル６の左目フレームだけを提示させることができる。ステップ８１０で、ＴＶ５０２のフレームレートに同期しており、かつその割り当てられたタイムスロット（３および４）、およびその各レートを知っているユーザ２のシャッタ眼鏡６０２は、左の閲覧レンズ６０６を使用可能にし、かつ閲覧用の右目レンズ６０４を暗く（または使用不可に）することになる。したがって、ユーザ２は、左のレンズ６０６により、ＴＶ５０２に提示された画像を見ることができるだけになる。ユーザ１のシャッタ眼鏡は、タイムスロット３の間、レンズ６０４と６０６を共に暗い（使用不可）状態に維持することになる。したがって、ユーザ１は、タイムスロット３の左目画像を見ることができないはずである。
【００５４】
タイムスロット４に入ると、ＳＴＢ１０６は、ＴＶ受信機５０２に、チャネル６の右目フレームだけを提示させることができる。ユーザ２のシャッタ眼鏡６０２は、右の閲覧レンズ６０４を使用可能にし、閲覧用の左目レンズ６０６を暗く（または使用不可に）することになる。したがって、ユーザ２は、右のレンズ６０４により、ＴＶ受信機５０２上に提示された画像を見ることができるだけになる。ユーザ１のシャッタ眼鏡は、タイムスロット４の間、レンズ６０４および６０６を共に暗い（使用不可）状態に維持することになる。したがって、ユーザ１は、タイムスロット４の右目画像を見ることができないはずである。
【００５５】
１人のユーザだけが、同時に１つの目で１つのタイムスロットを見ることができるので、ＴＶ受信機５０２のフル解像度を、ユーザ１および２のそれぞれにより閲覧することができる。ＴＶ受信機５０２が、高品位解像度（例えば、１０８０Ｐ）をサポートできる場合、３Ｄプログラムを、同じ解像度で見ることができる。これは、図７で示す偏光ディスプレイを有するＴＶ受信機５０２とは対照的なものである。偏光ＴＶ受信機を見る場合、行の半分を各目により見ることができるに過ぎない。したがって、３Ｄ画像はハーフ解像度で見ることができるに過ぎない。
【００５６】
他の実施形態では、図６のシャッタ眼鏡６０２は、各レンズが、図７の偏光ＴＶ受信機５０２の交互の画素行に対して偏光されるように適合させることができる。この実施形態では、例えば、左のレンズを、画素の奇数行７０２に対して偏光させることができ、一方、右のレンズを、画素の偶数行７０４に対して偏光させることができる。各目は、異なる画素行に対して偏光されているので、シャッタ眼鏡６０２を、両方のレンズ６０４、６０６の両方から、同時に見ることができるように適合させることができる。偏光ＴＶ受信機５０２の解像度の半分を、それぞれの目で見ることができるが、この実施形態は、左右の目の閲覧に対して、タイムスロットを１つだけ必要とする。したがって、この実施形態は、ＳＴＢ１０６に、それぞれが１から８のタイムスロットの１つに割り当てられる８個のプログラムを提示できるようにする。図１０で示されている４つのタイムスロットを用いる場合、４人のユーザが、図１１のタイミング図で示すように、３Ｄハーフ解像度の別のプログラムを閲覧することができる。
【００５７】
図１０および１１の実施形態は、複数のユーザが同じプログラムを見ることをサポートする。例えば、図１０の例では、ユーザ１および３が、３Ｄチャネル８を見ることができ、一方、ユーザ２および４が、３Ｄチャネル６を見ることができる。ユーザ３および４は、それぞれ、タイムスロット１〜２、および３〜４に同期したシャッタ眼鏡６０２を使用することができる。同様に、偏光ＴＶ５０２では、それぞれが、タイムスロット１〜４に同期したシャッタ眼鏡を使用して、それぞれ、閲覧者５〜８を加えて示されるように、複数の閲覧者が可能である。したがって、任意の数の重複する閲覧者が可能である。
【００５８】
前述の実施形態はまた、２Ｄおよび３Ｄ構成を組み合わせた複数のプログラムを閲覧することに適合させることができる。例えば、図１１のタイミング図で示される非偏光ＴＶ受信機５０２の場合、ユーザ１のシャッタ眼鏡は、左目レンズ６０４、および右目レンズ６０６が、タイムスロット１で同時に使用可能になるようにプログラムすることができる。タイムスロット１の間、ＳＴＢ１０６は、フル解像度の２Ｄ画像を提示するようにプログラムすることができる。他のタイムスロット（２〜８）の間は、ユーザ１のシャッタ眼鏡６０２を使用不可にする（暗くする）。複数の閲覧者が、他のユーザと同じ構成に同期させたシャッタ眼鏡６０２を有することができる。この例では、ユーザ１および４は、２Ｄフル解像度で同じプログラム（チャネル８）を見ており、一方、ユーザ３および６は、同時間に、３Ｄプログラムをフル解像度で閲覧する（チャネル６）。
【００５９】
図１２のタイミング図で示された偏光ＴＶ受信機５０２の場合、ＳＴＢ１０６は、画素の偶数および奇数行を使用する２Ｄ画像を提示するようにプログラムすることができる。すべての画素行が使用されるので、２Ｄ画像は、フル解像度を有するが、３Ｄ画像は、画素の奇数と偶数行の間で、右目画像と左目画像に分割されるためハーフ解像度である。前述のように、左右のレンズは、各タイムスロット中に同時に使用可能になる。したがって、前と同様に、複数の閲覧者が、同じタイムスロットに同期したシャッタ眼鏡を有することができる。ユーザ１および５は、２Ｄフル解像度でチャネル８を閲覧し、ユーザ２および６は、２Ｄフル解像度でチャネル６を見るが、ユーザ３および７は、３Ｄハーフ解像度でチャネル１５７を閲覧し、またユーザ４および８は、３Ｄハーフ解像度でチャネル２１６を閲覧する。
【００６０】
３Ｄから２Ｄ解像度への切替えは、その逆も同様であるが、遠隔制御装置１０７を用いて、またシャッタ眼鏡６０２上のトグル・ボタン（図６に示さず）を用いて行うことができる。ステップ８２２で、３Ｄから２Ｄ、または２Ｄから３Ｄへの変更要求が、ＳＴＢ１０６により検出されると、ＳＴＢ１０６は、ステップ８０４から８２０を繰り返すことができ、それにより、ユーザのシャッタ眼鏡６０２を、２または３Ｄ閲覧のための１つまたは複数のタイムスロットの新しい割当てに再同期させることができる。同様に、プログラミングの変更は、遠隔制御装置１０７を用いて、かつ／またはシャッタ眼鏡６０２上のチャネル変更ボタンを用いて行うことができる。ステップ８２４で、プログラム変更要求がＳＴＢ１０６により検出されると、ＳＴＢ１０６は、ステップ８１６から８２０を繰り返すことができ、それにより、ユーザのシャッタ眼鏡６０２に新しいプログラムを提示することができる。
【００６１】
ステップ８２４で、メディア・プログラムの変更が検出されない場合、ステップ８２６で、ＳＴＢ１０６は、照明変更が必要かどうかを判定することができる。照明変更は、数多くの実施形態を示すことができる。例えば、ユーザは、閲覧装置６０２のユーザインターフェース４０４を操作する、または言葉で制御することができ、それにより、照明を変更させることができる（例えば、特定のユーザに割り当てられたタイムスロットで、提示装置５０２により投影された画像の光強度を増加または減少させることなど）。他の実施形態では、閲覧装置６０２は、閲覧装置の（前述のように、光学的要素６０４、６０６の前後の）様々な位置に関連する照明データを周期的に送るように適合させることができる。照明データは、周囲光、提示装置５０２により放出される光の特定のスペクトル部分、および／またはユーザの強膜もしくはまぶたの肉から反射された光強度を表すことができる。
【００６２】
照明の変更はまた、利用変更からも検出することができる。例えば、ユーザが、メディア・プログラムの閲覧を終了し、それにより、空いたタイムスロットができた場合、照明の変更が可能である。同様に、閲覧装置を装着した新しいユーザが、さらなるタイムスロットの使用を必要とする他のメディア・プログラムを要求した場合、このような変更は、照明に対する調整になりうる。
【００６３】
各閲覧装置６０２により提出された照明データは、自立的なものでありうるが、かつ／または有線または無線媒体を介する双方向のメッセージ交換によりＳＴＢ１０６の制御下に置くこともできる。
【００６４】
上記の実施形態を考慮すると、当業者であれば、照明変更に対する数多くの原因を考えるはずである。したがって、さらなる実施形態が本開示により企図される。
【００６５】
ステップ８２４で照明変更が検出された後、ＳＴＢ１０６は、ステップ９０２で、閲覧者の変更が、照明変更の原因であるかどうかを判定するように適合させることができる。そうである場合、ステップ９０４で、ＳＴＢ１０６は、閲覧者の数、およびタイムスロットの使い方における何らかの変更を決定する。ステップ９０６で、ＳＴＢ１０６は、閲覧者に関連する何らかのユーザ・プロファイルをさらに取得することができる。ユーザ・プロファイルは、可能な好みの中で特に、コントラスト、すなわち、暗い部屋に対する十分に明るい部屋における光強度など、閲覧する好みを特定することができる。ステップ９１０で、ＳＴＢ１０６は、タイムスロットの使い方の変更をそれぞれが生ずる可能性のある、ユーザの追加、または退去が、現在のユーザにより閲覧されている特定のメディア・プログラムについて放出されている光の強度の増加を必要とするかどうかを判定することができる。
【００６６】
例えば、前に使用されていたタイムスロットが、メディア・プログラムを終了させたユーザにより解放され、また残りのユーザ（複数可）が、閲覧している各メディア・プログラム（複数可）について放出されている光の強度を増加させることにより利益を得ることができる場合、ＳＴＢ１０６は、ステップ９１０で、この機会を検出し、かつステップ９１２で、このような未使用のタイムスロットが、前記プログラムの照明を更新するために利用可能であるか否かを判定することができる。未使用のタイムスロットがこの目的に使用されるとき、ステップ９１８で、ＳＴＢ１０６は、新しいタイムスロットの割当て方式に同期させるために、更新された同期信号を、影響を受ける閲覧装置６０２に送ることができる。ステップ９１４で、ＳＴＢ１０６は、タイムスロットの更新された使用が、ユーザのプロファイルの好みにより特定された光強度の望ましいレベルを十分満たしているかどうかを判定することができる。十分である場合、ＳＴＢ１０６は、ステップ９２２に進み、提示装置５０２に、新しいタイムスロット構成に従って１人または複数の影響を受けるユーザに対して、その照明方式を調整させることができる。
【００６７】
さらなるタイムスロットの使用が、ユーザの望ましい光強度に足らない場合、ＳＴＢ１０６は、ステップ９２０に進むことができ、提示装置５０２の照明要素（例えば、ＬＥＤ、プラズマのセルなど）が望ましい光強度を達成するのに必要な調整の程度を決定する。この実施形態では、ＳＴＢ１０６は、提示装置５０２に、さらなるタイムスロットを使用するメディア・プログラムを提示させて、そのタイムスロット構成における何らかの不足を補うために、提示装置５０２の照明要素により放出される光の強度をさらに調整することができる。
【００６８】
前述の実施形態はまた、光強度を減少させることが必要な状況に適用させることができる。例えば、ステップ９１０で、ＳＴＢ１０６は、ユーザが部屋の照明を消した、または下げたことにより、提示されているメディア・プログラムの光強度が少なくてよいと判定することができる。これらの状況下で、ＳＴＢ１０６は、ステップ９１６に進むことができ、タイムスロットを明け渡すことが可能かどうかを判定する。必要な最小限のものが使用中である場合、ＳＴＢ１０６は、ステップ９１４〜９２２に進んで、タイムスロットに対する調整を行うことなく、提示装置５０２の照明要素により生成された光の強度を減少させることができる。この実施形態では、閲覧装置の再同期は必要ではないので、ステップ９１８は必要ではない。
【００６９】
閲覧装置６０２が、必要以上のタイムスロットに同期していた場合（例えば、左目用に２つ、右目に２つのタイムスロットなど）、ＳＴＢ１０６は、ステップ９１８に進むことができ、影響を受ける閲覧装置（複数可）６０２に更新された同期信号を送り、ステップ９１４に進んで、光強度の減少が望ましい目標に足りない場合、さらなる調整を行うが、タイムスロットの数を減らすことによる光強度の減少が、望ましい状態を超えている場合には、ＳＴＢ１０６は、提示装置５０２に、割り当てられたタイムスロット構成の間、照明要素により生成される光強度を増加させる。
【００７０】
ステップ９０２に戻って参照すると、照明の変更が、照明を増加または減少を要求するために、閲覧装置６０２のユーザインターフェース４０４を操作したユーザの事前対応の要求の結果である場合、ステップ９０８で、ＳＴＢ１０６は、この要求を処理して、ステップ９１０〜９２２の何らかの組合せへと進み、要求された調整を達成することができる。代替的に、または組み合わせて、照明の変更が、閲覧装置６０２によりＳＴＢ１０６に送られた自立的な照明測定の結果である、またはＳＴＢ１０６により要求された測定の結果である場合、ＳＴＢ１０６は、ステップ９０８で、照明データを処理し、ユーザのプロファイルを取得し、適切である場合には、照明の増加または減少が、ステップ９１０で必要であるかどうかを判定し、かつ前に述べたステップの何らかの組合せを繰り返すことができる。
【００７１】
図１４は、上記で述べた実施形態のいくつかを示している。この例では、４つのタイミング・グループが示されており（グループＩ、ＩＩ、ＩＩＩ、およびＩＶ）、それぞれが、タイムスロット方式間の遷移を表している。グループＩは、例えば、提示スケジュールが重複する２つの独立したメディア・プログラムを閲覧する２人のユーザの最初の状態を表すことができる。ユーザ１は、タイムスロット１および２の間に、チャネル８で３Ｄ高解像度プログラムを閲覧しているが、ユーザ２は、タイムスロット３および４の間に、チャネル６で同じ解像度でメディア・プログラムを閲覧している。
【００７２】
グループＩＩでは、ユーザ１が、チャネル８のメディア・プログラムの光強度の増加を要求したと考える。この要求は、前に述べたように、ユーザ１の閲覧装置６０２のユーザインターフェース４０４の操作により生成することができる。ＳＴＢ１０６は、方法９００で述べたように、グループＩのタイムスロット５および６の可用性を判定し、左画像および右画像を、それぞれ、タイムスロット５および６中で示すように、グループＩＩに複製することができる。これを達成するために、ＳＴＢ１０６は、ユーザ１の閲覧装置６０２に同期信号を送信して、今度は、タイムスロット１、２、５、および６中で光学的要素を使用可能にすることができる。
【００７３】
グループＩでは、ユーザ１および２は、タイムスロットを管理することにより利用可能な光の強度の２５％を達成する。タイムスロット５および６を供給することにより、ユーザ１は、利用可能な光強度の５０％を見るが、ユーザ２は２５％のままである。さらに強度が必要な場合、タイムスロット７および８を利用可能にすることもでき、光の強度を増加させて、ユーザ１に７５％が提供される。ユーザ２が、他のチャネルに切り替わることなくチャネル６のその閲覧を終了して、タイムスロット３および４を放棄する場合、タイムスロットの全体の周波数域を、ユーザ１の閲覧装置に割り当てることができ、それにより、タイムスロットで管理できる光強度の１００％が前記閲覧者に提供される。
【００７４】
この例は、任意の方向または組合せで行うことができる。例えば、ユーザ１に提示される光強度は、グループＩＶからグループＩに遷移することにより、連続的に、またはギャップを含んで減少させることができる。ユーザにより望まれる光強度が、タイムスロット管理を用いて達成できない場合、ＳＴＢ１０６は、提示装置５０２に、不足分を保証する、または行き過ぎ量を調整するために、ユーザのタイムスロット（複数可）中に光の照明要素を調整させることが可能であることにさらに留意されたい。
【００７５】
前述の実施形態を再検討すると、前記実施形態を、添付の特許請求の範囲および趣旨から逸脱することなく、修正する、または縮小する、または拡張させることが可能であることが当業者には明らかであろう。例えば、光の照明の制御および感知は、閲覧装置のユーザにより担持される遠隔制御装置上に配置することができ、それを用いて、信号をＳＴＢ１０６に送り、図１４で部分的に示した方法９００により述べられた望ましい効果を得ることができる。
【００７６】
上記で述べた諸実施形態は、方法８００で述べたステップの全体を、または一部を実施できる任意の装置を用いて動作するように適合させることができる。例えば、携帯電話は、シャッタ眼鏡を装着している２人以上のユーザに、高いフレームレート（例えば、毎秒１２８フレーム）をサポートする単一のディスプレイ上で複数のプログラムを提示するように適合させることができる。同期信号およびオーディオ信号を、例えば、ブルートゥース・インターフェースを介してシャッタ眼鏡に送信することができる。同様の適合性を、数例を挙げると、自動車、航空機、または列車に位置するメディア・プロセッサおよび提示装置に適用することができる。
【００７７】
他の実施形態では、方法８００は、自動立体視技術を用いてＴＶ受信機上に複数のプログラムを提示するように適合することができる。各ユーザの物理的な位置に応じて、自動立体視技術を備えるＴＶ受信機は、閲覧ゾーン（例えば、５個の３０度の閲覧ゾーン）にそれぞれが送られる異なるプログラムを提示することができ、前記ゾーンのそれぞれで、３Ｄまたは２Ｄフォーマットのプログラムを閲覧する。自動立体視技術は、シャッタ眼鏡を必要としないので、ユーザは、オーディオ用ヘッドホンだけを用いて、プログラムを私的に見ることができる。ユーザは、閲覧ゾーン間を物理的に移動することにより、プログラム間で移動することができる。
【００７８】
さらに他の実施形態では、図１５で示すものなど、提示装置１５０２は、パッシブ偏光眼鏡（すなわち、アクティブ・シャッタ・レンズを必要としない）を用いて、画素の行および／または列を独立して閲覧するように偏光させることができる。この実施形態では、高密度の画素の行または列を備える提示装置１５０２は、偏光眼鏡を用いて各ユーザにより独立して閲覧できる重複する提示スケジュールで、２つ以上の無関係なメディア・プログラムを提示するように適合されうる。
【００７９】
本文脈では、無関係なメディア・プログラムとは、例えば、関係するコンテンツを有しているが、異なるバージョンのコンテンツを有するメディア・プログラム、例えば、映画の第１のメディア・プログラムはＲ指定（Ｒ−ｒａｔｅｄ）であるが、映画の第２のメディア・プログラムは、修正したシーン、および／または除去したシーンのあるＰＧ−１３指定（ＰＧ−１３  ｒａｔｅｄ）である映画などのメディア・プログラムを表すことができる。他の実施形態では、無関係なメディア・プログラムは、例えば、無関係なコンテンツを有する２つ以上のメディア・プログラムを表すことができる（例えば、ユーザが記録した休暇のビデオ、ユーザが取り込んだ静止画像、ＨＢＯ映画、ＤＶＲで記録したプログラムなど）。メディア・プログラムの他の変形形態も、無関係なメディア・プログラムの可能な実施形態として企図される。
【００８０】
一実施形態では、第１の組の偏光眼鏡は、画素の奇数行１５０８を見るために、左右のレンズを等しく偏光させることができ、一方、他の組の偏光眼鏡は、画素の偶数行１５１０を見るために、左右のレンズを等しく偏光させることができる。この方式では、メディア・プログラムを２Ｄで見ることができる。画素の行をさらに細分化することにより、立体視３Ｄ画像を提示することができる。例えば、画素の奇数行を、１つのメディア・プログラム（ＨＢＯ）に専用とし、偶数の画素の行を、他の無関係なメディア・プログラム（ＥＳＰＮ）に専用にする。画素の奇数行に対して、１組の奇数行を用いて交互の行で、左右の目の立体視画像を提示することにより、３Ｄ画像を示すことができる。同様に、画素の偶数行に対して、１組の画素の偶数行における交互の行で、左右の目の立体視画像を提示することにより、３Ｄ画像を示すことができる。前述の実施形態は、画素の奇数列１５０４、および偶数列１５０６を、２Ｄおよび３Ｄ画像を提示するために上記で述べた画素の奇数および偶数行方式と同様な方法で使用できる方式に適合させることができる。
【００８１】
これらの原理を考慮すると、方法８００は、ＳＴＢ１０６が、提示装置１５０２に、第１のメディア・プログラムを画素の奇数行に提示させ、第１のメディア・プログラムに無関係な他のメディア・プログラムを画素の偶数行に提示させることができるが、両方のプログラムは、重複する提示スケジュールを有しており、裸眼で見た場合、判読できない、または歪んで見えるように適合されうる。これらの状況下で、第１のユーザは、第２のメディア・プログラムを閲覧できることなく、画素の奇数行に対して偏光させた眼鏡を用いて第１のメディア・プログラムを見ることができる。第２のユーザは、第１のメディア・プログラムを閲覧できることなく、画素の偶数行に対して偏光させた眼鏡を用いて第２のメディア・プログラムを見ることができる。方法８００は、前に述べたように、第１および／または第２のメディア・プログラムを２Ｄまたは３Ｄフォーマットで提示するようにさらに適合されうる。
【００８２】
提示装置は、解像度が増加すると、画素の行および／または列のさらなる偏光フィルタリングを使用して、重複した提示スケジュールで、２つ以上のメディア・プログラムを偏光眼鏡で見ることをサポートできることに留意されたい。
【００８３】
前述の実施形態は、時間分割、空間分割、または閲覧者の位置の依存性が、同じ提示装置上で独立して見ることのできる重複した提示スケジュールで、複数のプログラムを提示するための新規の手段を容易にできることを示している。
【００８４】
本開示により示された諸実施形態のいずれも、各ユーザに提示される画像に関連する光波を操作するように適合されうることにも留意されたい。例えば、単独で、または組み合わせた前述の実施形態の１つまたは複数のものにおいて、画像の強度が大きくなればなるほど、より多くの画素をユーザが閲覧することができる。したがって、色、コントラスト、および他の画像化制御機能を、本明細書で示された諸実施形態により操作することができる。
【００８５】
本明細書で示された諸実施形態は、任意の装置で動作できることにさらに留意されたい。例えば、方法８００は、構内１０２におけるＳＴＢ１０６などの装置ではなく、通信システム１００のネットワーク要素（例えば、ＶＨＳ１１４）で、全体的に、または部分的に動作するように適合されうる。本明細書で示された実施形態の同様の適合性は、通信システム２００および３００に対して、また通信装置４００に対しても企図される。これらの適合性の組合せはまた、本開示により企図されている。
【００８６】
まとめると、実務的な理由のため全体的に開示することのできない、本開示により企図される無数の実施形態が存在する。したがって、本明細書で述べられた諸実施形態と同じ、または同様の結果を生成できる任意の調節方式、または機能的な方式が、本開示により企図されている。
【００８７】
したがって、添付の特許請求の範囲から逸脱することなく、他の適切な変更を本開示に適用できることは、当業者には明らかなはずである。従って、読者は、本開示の広さおよび範囲をより完全に理解するために、特許請求の範囲のセクションが示される。
【００８８】
図１６は、コンピュータ・システム１６００の形のマシンの例示的な図式表現を示しており、その内部で実行されたとき、１組の命令は、マシンに上記で論じた方法のいずれか１つまたは複数のものを実施させることができる。いくつかの実施形態では、マシンは、スタンドアロンの装置として動作する。いくつかの実施形態では、マシンは、他のマシンに（例えば、ネットワークを用いて）接続することができる。ネットワーク化された展開では、マシンは、サーバ−クライアントのユーザ・ネットワーク環境でサーバもしくはクライアント・ユーザ・マシンとして、またはピア・ツー・ピア（または分散）ネットワーク環境における同位マシンとして動作することができる。
【００８９】
マシンは、サーバ・コンピュータ、クライアント・ユーザ・コンピュータ、パーソナル・コンピュータ（ＰＣ）、タブレットＰＣ、ラップトップ・コンピュータ、デスクトップ・コンピュータ、制御システム、ネットワーク・ルータ、スイッチもしくはブリッジ、またはそのマシンにより行われるアクションを指定する１組の（連続的な、またはその他の形の）命令を実行できる任意のマシンを含むことができる。本開示の装置は、音声、ビデオ、またはデータ通信を提供する任意の電子装置を広く含むことを理解されよう。さらに、単一のマシンが例示されているが、「マシン」という用語はまた、本明細書で論じた方法の任意の１つまたは複数のものを実施するために、１組の（または複数の組の）命令を独立して、または共同で実行するマシンの任意の集合体を含むものと解釈すべきである。
【００９０】
コンピュータ・システム１６００は、プロセッサ１６０２（例えば、中央演算処理装置（ＣＰＵ）、グラフィックス処理ユニット（ＧＰＵ、または両方）、主メモリ１６０４、およびスタティック・メモリ１６０６を含むことができ、それらは、バス１６０８を介して互いに通信する。コンピュータ・システム１６００は、ビデオ表示ユニット１６１０（例えば、ＬＣＤ（液晶ディスプレイ）、フラット・パネル、固体ディスプレイ、またはＣＲＴ（陰極線管）など）をさらに含むことができる。コンピュータ・システム１６００は、入力装置１６１２（例えば、キーボード）、カーソル制御装置１６１４（例えば、マウス）、ディスク駆動ユニット１６１６、信号生成装置１６１８（例えば、スピーカまたは遠隔制御など）、およびネットワーク・インターフェース装置１６２０を含むことができる。
【００９１】
ディスク駆動ユニット１６１６は、上記で説明した方法を含む、本明細書で述べた方法または機能のうちいずれか１つまたは複数のものを実施する命令の１つまたは複数の組（例えば、ソフトウェア１６２４）が記憶されたマシン可読媒体１６２２を含むことができる。命令１６２４はまた、完全に、または少なくとも部分的に、主メモリ１６０４、スタティック・メモリ１６０６内に常駐し、かつ／またはコンピュータ・システム１６００によるその実行中はプロセッサ１６０２内に存在することができる。主メモリ１６０４、およびプロセッサ１６０２はまた、マシン可読媒体を構成することができる。
【００９２】
これだけに限らないが、特定用途向け集積回路、プログラマブル・ロジック・アレイ、および他のハードウェア装置を含む専用のハードウェア実装形態は、同様に、本明細書で述べた方法を実施するように構成することができる。様々な実施形態の装置およびシステムを含むことのできる適用例には、様々な電子システム、およびコンピュータ・システムが広く含まれる。いくつかの実施形態は、関連する制御およびデータ信号が、モジュール間で、またはそれを介して通信される、２つ以上の特定の相互接続されたハードウェア・モジュールで、または特定用途向け集積回路の部分として機能を実施する。したがって、例示的なシステムは、ソフトウェア、ファームウェア、およびハードウェア実装形態に適用可能である。
【００９３】
本開示の様々な実施形態によれば、本明細書で述べる方法は、コンピュータ・プロセッサで動作するソフトウェア・プログラムとして動作させることが意図されている。さらに、ソフトウェア実装形態は、これだけに限らないが、分散処理、すなわち構成要素／オブジェクトの分散処理、並列処理、または仮想マシン処理を含むことができ、それらはまた、本明細書で述べる方法を実施するように構成することができる。
【００９４】
本開示は、命令１６２４を含むマシン可読媒体を企図しているが、あるいはネットワーク環境１６２６に接続された装置が、音声、ビデオ、またはデータを送信もしくは受信して命令１６２４を用いてネットワーク１６２６を介して通信できるように、伝播信号から、命令１６２４を受けとり、かつ実行するものを企図している。命令１６２４は、ネットワーク・インターフェース装置１６２０により、ネットワーク１６２６を介してさらに送信され、または受信されうる。
【００９５】
マシン可読媒体１６２２が、例示的な実施形態では、単一の媒体であると示されているが、「マシン可読媒体」という用語は、１つまたは複数の組の命令を記憶する単一の媒体、または複数の媒体（例えば、集中化した、もしくは分散されたデータベース、および／または関連するキャッシュおよびサーバなど）を含むものと解釈されるべきである。「マシン可読媒体」という用語はまた、マシンで実行するための１組の命令を記憶し、符号化し、または担持することができ、かつマシンに、本開示の方法の任意の１つまたは複数のものを実施させる任意の媒体を含むものと解釈されるべきである。
【００９６】
「マシン可読媒体」という用語は、したがって、これだけに限らないが、メモリカード、または１つまたは複数の読出し専用（不揮発性の）メモリ、ランダム・アクセス・メモリ、または他の再書込可能な（揮発性の）メモリを収容する他のパッケージなどの固体メモリと、ディスクまたはテープなどの光磁気または光学的媒体と、かつ／または有形の記憶媒体と等価な配信媒体と見なされる電子メールへのデジタル・ファイル添付物、または他の自己完結型の情報アーカイブもしくは１組のアーカイブとを含むものと解釈されるべきである。したがって、本開示は、本明細書で列挙したマシン可読媒体、または配信媒体の任意の１つまたは複数のものを含み、かつ本明細書のソフトウェア実装形態が記憶される、当技術分野で認められた均等な形態、および後続する媒体を含むものと見なされる。
【００９７】
本明細書は、特定の規格およびプロトコルを参照して、諸実施形態で実施される構成要素および機能を述べているが、本開示は、このような規格およびプロトコルに限定されない。インターネット、および他のパケット交換ネットワーク送信に対する規格（例えば、ＴＣＰ／ＩＰ、ＵＤＰ／ＩＰ、ＨＴＭＬ、ＨＴＴＰ）のそれぞれは、技術水準の例を表している。このような規格は、本質的に同じ機能を有するより高速の、またはより効率的な均等な形態により、定期的に取り替えられる。したがって、同じ機能を有する置換え規格およびプロトコルは、均等な形態であると見なされる。
【００９８】
本明細書で述べた実施形態の説明は、様々な実施形態の構造の概略的な理解を提供することが意図されており、それらが、本明細書で述べた構造を使用する可能性のある装置およびシステムのすべての要素および機構の完全な記述として働くようには意図されていない。上記の記述を再検討すれば、多くの他の実施形態が当業者には明らかとなろう。他の実施形態を利用し、かつそこから導出することも可能であり、したがって、本開示の範囲から逸脱することなく、構造的、かつ論理的な置換え、および変更を行うことができる。図はまた、代表的なものに過ぎず、縮尺を合わせて描かれていない可能性がある。そのいくつかの比率は誇張され、他では小さくしている可能性がある。したがって、本明細書および図面は、限定的な意味ではなく、例示的な意味であると見なされるべきである。
【００９９】
本発明の主題のこのような実施形態は、単に便宜上に過ぎないが、また複数のものが実際に開示される場合に、何らかの単一の発明もしくは発明の概念に本出願の範囲を自発的に限定することを意図するのではなく、「発明」という用語により、個々に、かつ／または集合的に、本明細書を参照することができる。したがって、本明細書で特定の実施形態が例示され、かつ述べられているが、同じ目的を達成するように意図された任意の構成も、示された特定の実施形態に対して置き換わることができることを理解すべきである。本開示は、様々な実施形態の任意の、およびすべての適合形態、または変形形態を含むことが意図される。上記の実施形態と、本明細書で具体的に述べていない他の実施形態との組合せは、上記の記述を再検討すれば、当業者には明らかとなろう。
【０１００】
開示の要約は、読者が、技術的な開示の性質を迅速に把握できるようにするための要約を要求する米国連邦規則第３７巻規則１．７２（ｂ）に準拠して提供される。それは、特許請求の範囲、または意味を解釈する、または限定するために使用されないという理解のもとに提出されている。さらに、前述の詳細な説明では、本開示を簡素化するために、様々な特徴を併せて単一の実施形態へとグループ化していることが分かる。本開示のこの方法を、特許請求される実施形態が、各請求項で明示的に記載されたものよりも多くの特徴を必要とするという意図を反映していると解釈すべきではない。そうではなくて、添付の特許請求の範囲で示しているように、発明の主題は、単一の開示された実施形態のすべての特徴よりも少ない所に存在している。したがって、添付の特許請求の範囲は、本明細書により詳細な説明の中に組み込まれており、各請求項は、別個に請求する主題として、それ自体で独立している。
【図２】
0005986074.tif 000002
【図４】
0005986074.tif 000003
【図８】
0005986074.tif 000004
【図９】
0005986074.tif 000005
【図１０】
0005986074.tif 000006
【図１１】
0005986074.tif 000007
【図１２】
0005986074.tif 000008
【図１３】
0005986074.tif 000009
【図１４】
0005986074.tif 000010
【図１６】
0005986074.tif 000011
【図１】
0005986074.tif 000012
【図３】
0005986074.tif 000013
【図５】
0005986074.tif 000014
【図６】
0005986074.tif 000015
【図７】
0005986074.tif 000016
【図１５】
0005986074.tif 000017